(57)【要約】      （修正有）【課題】雪又は雨天時或はそれにより足元が悪い時、靴から太股にかけて雨濡れ及びあとばねによる汚れを防止する、着脱容易で常に携帯可能な水濡れ汚れ防止具を提供する。【解決手段】靴３の接地面にあてがった靴載せ部１の周囲に刻まれた溝に筒状のカバー２の一方の端をはめ込み、靴載せ部１とカバー２を接続した後、カバー２のもう一方の端９ｂをそのまま太腿４まで引き上げたら、固定紐５ａ、５ｂで靴載せ部１をカバー２ごと靴３の上から２箇所で固定することにより、靴３から太股４にかけて水濡れ、汚れを防止する。着脱が簡単で、靴載せ部１は網目状で柔らかく軽量、カバー２は伸縮性と防水性を有し、巻き上げが出来るのでコンパクトになり、双方は常に携帯することが出来る。【選択図】図１
0003214322.tif 000002
【実用新案登録請求の範囲】
【請求項１】
靴及び足首から太股にかけての脚部分を防水性カバーで保護し、水濡れ、汚れを防止することを特徴とする防具であって、靴の接地面にあてがう靴載せ部と靴から太股までを被う筒状のカバーから成り、靴載せ部に靴を載せ、靴載せ部の周囲に刻まれた溝に筒状のカバーの片方をはめ込み、カバーのもう一方を掴んでそのまま太股まで引き上げた後、靴載せ部をカバーごと靴の上から固定する携帯用水濡れ汚れ防止靴脚カバー。
【請求項２】
靴載せ部は、耐水性、耐久性を有し軽量の薄い小判形をしており、全体が網目状で、靴のヒールに位置する箇所は網目がなく空いており、側面周囲は網目部分に比べ少し厚めで、周囲全体に溝が刻まれており、靴先部に位置する先端からやや中央寄りの左右両側面にそれぞれ１箇所、中央からややヒール位置部寄りの左右両側面にそれぞれ１箇所の、合計４箇所に長方形の輪が側面の溝の下部に取付けられており、更に、かかとが位置する箇所の溝の下部には前記４箇所に取付けられた長方形の輪より縦長の長方形の輪が１個取付けられていることを特徴とする請求項１に記載する携帯用水濡れ汚れ防止靴脚カバー。
【請求項３】
カバーは、伸縮性及び防水性を有した筒状で、靴載せ部から太股までの長さがあり、両端は丸く盛り上がった縁取りがしてあることを特徴とする請求項１に記載する携帯用水濡れ汚れ防止靴脚カバー。
【考案の詳細な説明】
【技術分野】
【０００１】  本考案は、靴及び脚を防水性カバーで保護し、水濡れ、汚れを防止する雨具に関するものである。
【背景技術】
【０００２】  従来より、雨天時における靴や膝下部分の水濡れを防ぐ雨具が数多く考案されている。水濡れ防止方法は大きく二種類あり、一つは、靴と膝から下の脚部を筒状の１個のカバーで被うもので、もう一つは、靴と脚部を別々のカバーで被う方法である。例えば、特許文献１は前者の方法で、特許文献２と特許文献３は後者である。そして両者とも脱水性と着脱の容易性を特徴としている。
【先行技術文献】
【特許文献】
【０００３】
【特許文献１】特開平１０−２１２６１３公報
【特許文献２】特開２０１０−２１４０６４公報
【特許文献３】実用新案登録第３１８９９７８号公報
【考案の概要】
【考案が解決しようとする課題】
【０００４】  特許文献１に記載の雨具は、靴と膝下部分を筒状の一体カバーで被うものであるが、装着時、カバー内部の汚れを防ぐため靴を一度脱ぐ必要があり、装着に手間がかかる。また、靴のカバー部を固定する手段が無く、下から水の侵入が予想され防水性に問題がある。特許文献２は、着脱が容易ではあるが、靴及び脚を完全に被う密閉式でないので、防水性に問題があり、特にかかと部とふくらはぎ部に構造上の隙間ができるので、あとばねによる汚れも心配される。特許文献３は、密閉性に優れ、装着も容易であるが、靴カバーが様々の形状がある靴に対応できるのか、特にヒールが高い靴への対応が懸念される。【０００５】  一概に水濡れと汚れといっても、その状況は色々想定される。降雨、降雪中の歩行、それに風が伴った場合、そして、水たまりがある道の歩行、雪解け道の歩行によるあとばね等がある。また、これらの状況が、外出前からなのか、或は外出中に遭遇したものなのかがある。更に、路面の水濡れ、凍結はスリップの危険性も伴う。本考案は、このような様々の観点から、水と泥の進入防止、どの様な靴の形状にも対応、カバーが脚に直又はズボンの上からも隙間なくフィット、路面の滑り防止、軽量でコンパクトであり携帯が容易及び脱着が容易、といった多くの課題を解決するものである。
【課題を解決するための手段】
【０００６】  前記の課題を解決するために、本考案は、靴の接地面にあてがう靴載せ部と靴から太股までを被う筒状のカバーから成り、靴載せ部の周囲に刻まれた溝に筒状のカバーの片方をはめ込み、カバーのもう一方を掴んでそのまま太股まで引き上げた後、靴載せ部をカバーごと靴の上から固定することにより靴から太腿にかけて水濡れ・汚れを防止するものである。【０００７】  靴載せ部は、柔らかく耐久性、耐水性及び耐滑性のある平らな小判形で、全体が網目状となっている。但し、靴のヒールに位置する箇所は網目がなく空いており、ヒールが直に地面と接する。これにより、靴の形状とヒールの高さが異なっても靴載せ部と靴がしっかり固定できる。靴載せ部の側面周囲は網目部分に比べ少し厚めで、周囲全体に外側に向かってＵ字型で奥が広くなった溝が刻まれている。又、靴先部に位置する先端からやや中央寄りの左右両側面にそれぞれ１箇所、中央からややヒール位置部寄りの左右両側面にそれぞれ１箇所の、合計４箇所に長方形の輪が側面の溝の下部に取付けられており、更に、かかとが位置する箇所の溝の下部には前記４箇所に取付けられた長方形の輪より縦長の長方形の輪が一個取付けられている。これら５箇所の長方形の輪は、靴載せ部を靴に固定するための固定紐を通すもので、柔らかく収縮性のある材質で形成される。この様に、靴載せ部は材質が柔らかく軽量であるため、常に持ち運びが可能である。又、靴が靴載せ部の網目を介して地面と接するため、滑り防止が期待出来る。【０００８】  カバーは、伸縮性及び防水性を有した筒状で、靴載せ部から太股までの長さがある。カバーの両端は丸く盛り上がった縁取りがしてあり、一方の端を靴載せ部の周囲の溝にはめ込み、もう一方の端を太股まで引き上げると、カバーは太股で固定され、ずり落ちることはない。この様に、カバーが筒状であるため巻き上げ及び巻き下げが出来るので装着が簡単で、持ち運びが可能である。又、伸縮性に富んでいるため、脚又はズボンの上からも隙間なくフィットする。更に、脚の高い位置である太股までカバーするためカバーの端から水が浸入することはない。【０００９】  カバーを装着した後、固定紐を靴載せ部周囲に取付けてある長方形の輪に通してカバーの上から２箇所で締め付けて靴に強く固定するので、靴載せ部と靴及びカバーが互いにずれることなく、スムーズに歩行できる。固定紐には、一般の靴紐、マジックテープ付き紐、その他細長い紐を用いる。【００１０】  靴載せ部は、靴が網目を介して地面と接するため、単独で使用することにより、路面の水濡れ、凍結時のスリップ防止が期待できる。
【考案の効果】
【００１１】  本考案は、多くの課題を解決するための手段を確実に講じており、あらゆる天候状態でも安全に靴と下半身を水濡れ・汚れから防止することが大いに期待できる。
【図面の簡単な説明】
【００１２】
【図１】本考案の実施形態を示す斜視図である。
【図２】靴載せ部の斜視図である。
【図３】図２のＡ−Ａ断面図である。
【図４】カバーの斜視図である。
【図５】カバーの装着方法を示す図である。
【図６】靴載せ部の固定方法を示す図である。
【考案を実施するための形態】
【００１３】  以下、本考案の実施例を図面に基づいて詳細に説明する。
【実施例】
【００１４】  図１は、本考案の実施形態を示す図である。図２は、靴載せ部である。靴載せ部（１）は、柔らかく耐久性、耐水性及び耐滑性のある材質で、靴底と接触する部分（６）はヒール位置（７）を除き、網目状に成型されている。ヒール位置（７）の空は、靴のヒールが高くても靴載せ部（１）が靴裏に密着するよう考慮されている。靴裏が靴載せ部（１）の網目を介して地面と接触するため、滑り止めの効果が有る。また、靴載せ部（１）の周囲は少し厚めの構造で、図３の靴載せ部の断面図で示す通り、外側に向かってＵ字型で奥が広くなった溝（８）が刻まれている。この溝（８）に図４で示す筒状カバー（２）の端の丸く盛り上がった縁取り部（９ａ）をはめ込み、靴載せ部（１）とカバー（２）を接続する。靴載せ部（１）の周囲側面溝の下部に取付けてある５個の長方形の輪（１０ａ、１０ｂ、１０ｃ、１０ｄ、１０ｅ）は、靴載せ部（１）をカバー（２）ごと上から靴（３）に固定する固定紐（５ａ、５ｂ）を通すためのものである。靴載せ部（１）は、靴の大きさを考慮して数種類を用意する。【００１５】  図４は、カバーの斜視図である。カバー（２）は継ぎ目がなく一体成型され、伸縮性、防水性、耐久性及び製造容易性を持つ材料を使用する。筒状の両端は、周囲が丸く盛り上がった縁取り（９ａ、９ｂ）があり、一方の端（９ａ）を靴載せ部の周囲に刻まれたＵ字型の溝（８）にはめ込み、もう一方の端（９ｂ）は太股（４）を軽く締め付けてカバー（２）のずれを防止する。カバー（２）は、使用者の体型を考慮して長さ・太さの異なる数種類を用意する。【００１６】  図５はカバーの装着方法を示す図である。先ず、筒状のカバー（２）全体を靴先（１１）から通して足首で留める。次に、靴を靴載せ部（１）に載せ、靴載せ部（１）の周囲に刻まれた溝（８）にカバー（２）の端部に造形された丸く盛り上がった縁取り部分（９ａ）をはめ込み、靴載せ部（１）とカバー（２）を接続する。次に、カバー（２）のもう一方の端（９ｂ）を手で掴み太股（４）まで引き上げる。最後に、固定紐を靴載せ部周囲に取付けてある長方形の輪（１０ａ、１０ｂ、１０ｃ、１０ｄ、１０ｅ）に通してカバー（２）の上から前方と後方の２箇所で締め付けて靴載せ部（１）を靴（３）に強く固定する。【００１７】  図６は靴載せ部の固定方法を示す図である。ここでは、一例として、マジックテープ付き固定紐を使用して、左足の靴載せ部を固定する方法を説明する。先ず、靴載せ部（１）先端近くの左右両側面の長方形の輪（１０ａ、１０ｂ）に固定紐（５ａ）を通し、固定紐の両端を上方に引っ張り、靴載せ部（１）と靴（３）の密着度合いを確認した後、固定紐（５ａ）のマジックテープ部分を重ね合わせて、靴載せ部（１）前方部分を固定する。次に、もう一つの固定紐（５ｂ）の一方の端を、靴載せ部左側面の長方形の輪（１０ｃ）に通した後、そのままかかとの位置する箇所の長方形の輪（１０ｅ）に通して右前方に出し、更に、靴載せ部右側側面の長方形の輪（１０ｄ）に通したら、固定紐（５ｂ）の両端を上方に適度に引っ張って靴載せ部（１）と靴（３）の密着状態を確認し、足の甲の上部位置でマジックテープ部分を重ね合わせて、靴載せ部後方部分をカバーの上からしっかり���固定する。
【符号の説明】
【００１８】  １    靴載せ部
２    カバー
３    靴
４    太股
５ａ  靴載せ部前方固定紐
５ｂ  靴載せ部後方固定紐
６    靴底と接触する部分
７    靴のヒール位置
８    溝
９ａ  カバー下部縁取り部
９ｂ  カバー上部縁取り部
１０ａ  固定紐通し左前方側面の長方形の輪
１０ｂ  固定紐通し右前方側面の長方形の輪
１０ｃ  固定紐通し左中央側面の長方形の輪
１０ｄ  固定紐通し右中央側面の長方形の輪
１０ｅ  固定紐通しかかと部長方形の輪
１１    靴先
【図１】
0003214322.tif 000003
【図２】
0003214322.tif 000004
【図３】
0003214322.tif 000005
【図４】
0003214322.tif 000006
【図５】
0003214322.tif 000007
【図６】
0003214322.tif 000008